(57)【特許請求の範囲】
【請求項１】
実銃と同じ位置に配置された弾倉から排出されるBB弾を、機関部に設置されたピストンの前方に装填して圧縮空気で発射する玩具銃の給弾装置において、
機関部と弾倉との間に設置されたスライド機構と、弾倉の前方に配置され弾倉から排出されたBB弾をピストンの前方まで誘導する給弾ガイドとで構成され、
スライド機構は、機関部に固定されて機関部と共に前後移動し給弾ガイド内のBB弾をピストンの前方に押し出す装弾体が先端部に形成された固定ラックと、
該固定ラックにピニオンが介され固定ラックと逆方向にスライド移動して弾倉からのBB弾を給弾ガイド内に送り込む送りラックとを備え、
機関部が後退すると、前方へスライド移動する送りラックにより弾倉から排出されたBB弾が給弾ガイド内に送り込まれる第１の装填と、機関部が前進すると、前方へ移動する固定ラック先端の装弾体により給弾ガイド内のBB弾がピストンの前方に装填される第２の装填とで長距離装填するように構成したことを特徴とする玩具銃の給弾装置。
【請求項２】
前記給弾ガイドは、前記弾倉から排出された前記BB弾を順次ピストンの前方に誘導する誘導路と、該誘導路のBB弾を押圧する前記装弾体が通る移動溝とが設けられた請求項１記載の玩具銃の給弾装置。
【請求項３】
前記機関部は、ボルトアクション操作用のシリンダーと、該シリンダーの内部に収納されるコイルスプリングと、該コイルスプリングの先端部に配設された前記ピストンとを備え、コイルスプリングの付勢力で発生する前記ピストンからの圧縮空気で前記BB弾を発射するように構成した請求項１記載の玩具銃の給弾装置。
【発明の詳細な説明】
【技術分野】
【０００１】
本発明は、玩具銃の外観及び操作性と高い射撃性能とを両立させることができる玩具銃の給弾装置に関するものである。
【背景技術】
【０００２】
例えば、一度発射するごとに次の弾の装填を行うボルトアクション式の銃は、自動小銃に比べて構造が単純であるため、精度や信頼性、あるいは整備性などにおいて優れた特性がある。特に構造上、精密射撃に適しているので、狙撃用、狩猟用、射撃競技用といった用途に現在でも広く使用されている。
【０００３】
このようなボルトアクション式の銃などを玩具銃で再現するには、外観や操作性が精密に再現されているだけでなく、高い射撃性能においても再現性が求められている。そこで、BB弾を装填して圧縮空気で発射する玩具銃で高い射撃性能を再現するには、玩具銃のシリンダー（ボルト）やピストンからなる機関部の長さを十分に利用して圧縮空気の空気容量をできるだけ多くすると共に、この機関部のピストンより前方にBB弾を装填する必要がある。
【０００４】
給弾装置の例として、図１２に示すように弾倉を機関部Ｐの先端側に配置すると、機関部Ｐの長さが制限されないので、簡単な構造で射撃性能を高めることができる。ところが、実銃の弾倉は機関部Ｐの先端側ではなく、機関部Ｐの真下に配置されているので、機関部Ｐの先端側に弾倉を配置すると外観が実際の銃と異なることになり再現性が劣る不都合がある。
【０００５】
一方、弾倉を機関部の真下に配置して実際の銃を忠実に再現した場合、弾倉からピストンの前方までBB弾を送るため、実銃に比べてBB弾の装填距離が長くなる。すなわち、実銃の弾丸は、弾倉から機関部の位置へ直接装填されるが、圧縮空気を利用する玩具銃では、機関部にピストンが配置されているので、弾倉からピストンの前方までBB弾を装填するといった玩具銃独自の給弾装置が必要になる。
【０００６】
このような玩具銃独自の給弾装置の例が、特許文献１に記載されている。この給弾装置は、機関部の真下からピストンの前方に至る貯留路を形成し、この貯留路の装填口から貯留路の内部にBB弾を並べて装填するものである。更に、貯留路内の最後尾のBB弾に接するフォロアと、このフォロアを介してBB弾を前方に押し出す押出コイルスプリングとが設置されている。このフォロアには索体が連結されており、索体に連繋した引張機構で、フォロアを貯留路の後端側に引っ張るように設けている。
【０００７】
そして、この給弾装置でBB弾を装填するときは、引張機構を作動させて索体を引っ張り、フォロアを押出コイルスプリングの付勢力に抗して貯留路の装填口よりも後側に位置させると、装填口が開放した状態になるので、この装填口から貯留路内へBB弾を流し込んで装填する操作になる。
【先行技術文献】
【特許文献】
【０００８】
【特許文献１】特開２０１３‐４４４６０号公報
【発明の概要】
【発明が解決しようとする課題】
【０００９】
特許文献１に記載の給弾装置によると、実銃の弾倉の位置にBB弾用の給弾装置を配置することができ、そこからピストンの前方までBB弾を装填することを可能にしたものである。更に、特許文献１の給弾装置では、機関部の真下に位置する銃床に開口部を形成し、この開口部からBB弾を補充した後、開口部を施蓋する構成を採用している。そのため、この給弾装置では外観の再現性は高いが、簡単に弾倉の交換が出来ず操作性が劣ることになる。
【００１０】
そこで本発明は上述の課題を解消すべく創出されたもので、玩具銃において、外観及び操作性の再現性と、高い射撃性能の再現性とを両立させることができる玩具銃の給弾装置の提供を目的とするものである。
【課題を解決するための手段】
【００１１】
上述の目的を達成すべく本発明における第１の手段は、実銃と同じ位置に配置された弾倉Ｑから排出されるBB弾１を、機関部Ｐに設置されたピストンＰ１の前方に装填して圧縮空気で発射する玩具銃の給弾装置において、機関部Ｐと弾倉Ｑとの間に設置されたスライド機構１０と、弾倉Ｑの前方に配置され弾倉Ｑから排出されたBB弾１をピストンＰ１の前方まで誘導する給弾ガイド２０とで構成され、スライド機構１０は、「機関部Ｐに固定されて機関部Ｐと共に前後移動し給弾ガイド２０内のBB弾１をピストンＰ１の前方に押し出す装弾体１２が先端部に形成された固定ラック１１」と、「該固定ラック１１にピニオン１３が介され固定ラック１１と逆方向にスライド移動して弾倉ＱからのBB弾１を給弾ガイド２０内に送り込む送りラック１４」とを備え、機関部Ｐが後退すると、前方へスライド移動する送りラック１４により弾倉Ｑから排出されたBB弾１が給弾ガイド２０内に送り込まれる第１の装填と、機関部Ｐが前進すると、前方へ移動する固定ラック１１先端の装弾体１２により給弾ガイド２０内のBB弾１がピストンＰ１の前方に装填される第２の装填とで長距離装填するように構成したことにある。
【００１２】
第２の手段における前記給弾ガイド２０は、前記弾倉Ｑから排出された前記BB弾１を順次ピストンＰ１の前方に誘導する誘導路２１と、該誘導路のBB弾１を押圧する前記装弾体１２が通る移動溝２２とが設けられている。
【００１３】
第３の手段の前記機関部Ｐは、ボルトアクション操作用のシリンダーＰ３と、該シリンダーＰ３の内部に収納されるコイルスプリングＰ２と、該コイルスプリングＰ２の先端部に配設された前記ピストンＰ１とを備え、コイルスプリングＰ２の付勢力で発生する前記ピストンＰ１からの圧縮空気で前記BB弾１を発射するように構成したものである。
【発明の効果】
【００１４】
本発明の請求項１によると、機関部Ｐが後退すると、前方へスライド移動する送りラック１４により弾倉Ｑから排出されたBB弾１が給弾ガイド２０内に送り込まれる第１の装填と、機関部Ｐが前進すると、前方へ移動する固定ラック１１の装弾体１２により給弾ガイド２０内のBB弾１がピストンＰ１の前方まで装填される第２の装填とが行われるように構成したことで、実銃に比べて装填距離が長くなる玩具銃において、機関部Ｐの短い移動量でも、ピストンＰ１の前方にBB弾１を確実に装填することが可能になり、高い操作性を得ることができる。
【００１５】
また、本発明給弾装置は、スライド機構１０と、弾倉Ｑから排出されたBB弾１をピストンＰ１の前方まで誘導する給弾ガイド２０とで構成しているので、構造がシンプルで耐久性に優れている。そのため、細身の銃床などでも装着可能で、装着位置も任意に変更することができる。したがって、多くの種類の玩具銃の給弾装置として使用することが可能である。
【００１６】
更に、実銃と同じ位置に配置された弾倉Ｑと、機関部Ｐとの間にスライド機構１０を設置する構成であるから、実銃のタイプによって変化する弾倉Ｑの位置や装着手段に適応させることができる。この結果、外観のリアル感のみならず、高い射撃性能と操作性を両立させることに成功した。
【００１７】
また、機関部Ｐの前後の動きでBB弾１が装填される構成を採用しているので、手動式の他、同じ動きをする機関部Ｐを備えたガス式や電動式などにも対応可能になる。
【００１８】
請求項２のように、弾倉Ｑから排出されたBB弾１を順次ピストンＰ１の前方に誘導する誘導路２１と、該誘導路のBB弾１を押圧する装弾体１２が通る移動溝２２とが設けられた給弾ガイド２０を設けることで、実銃に比べて装填距離が長くなる玩具銃においても、ピストンＰ１の前方にBB弾１を確実に装填することが可能になった。しかも、給弾ガイド２０の寸法を変更することで、BB弾１の装填距離を自由に調整することができる。
【００１９】
請求項３のごとく、機関部Ｐは、ボルトアクション操作用のシリンダーＰ３と、該シリンダーＰ３の内部に収納されるコイルスプリングＰ２と、該コイルスプリングＰ２の先端部に配設されたピストンＰ１とを備え、コイルスプリングＰ２の付勢力で発生するピストンＰ１からの圧縮空気で前記BB弾１を発射するように構成したことで、ボルトアクション式の銃を玩具銃で再現することに成功した。この結果、一発射撃する度にボルトを後退させ、次弾装填を行うといった独特の操作を忠実に再現することができる。
【００２０】
しかも、ボルトアクション操作用のシリンダーＰ３の内部にピストンＰ１を収納したことで、シリンダーＰ３の長さを十分に利用した強力な圧縮空気で発射することができる。したがって、高い射撃性能の再現においても可能になり、実際のボルトアクション式の銃と同様の醍醐味が得られるものである。
【図面の簡単な説明】
【００２１】
【図１】本発明の装着例を示す要部断面図である。
【図２】本発明の装着例を示す一部側面図である。
【図３】本発明に弾倉を装着する状態を示す要部断面図である。
【図４】本発明に弾倉を装着した状態を示す要部断面図である。
【図５】本発明のスライド機構を示す要部断面図である。
【図６】本発明の装弾板の動きを示す要部断面図である。
【図７】本発明の誘導路と装弾板の動きを示す要部拡大断面図である。
【図８】本発明でBB弾が装填された状態を示す要部断面図である。
【図９】本発明の給弾ガイドの一実施例を示す斜視図である。
【図１０】本発明の給弾ガイドの一実施例を示す後方図である。
【図１１】本発明の他の実施例を示す要部断面図である。
【図１２】従来の給弾装置を示す要部断面図である。
【発明を実施するための形態】
【００２２】
本発明によると、玩具銃において、外観及び操作性の再現性と、高い射撃性能の再現性とを両立させることができるといった当初の目的を達成した。
【００２３】
以下、本発明の実施例を説明する。本発明給弾装置は、実銃と同じ位置に配置される弾倉Ｑから排出されるBB弾１をピストンＰ１の前方に装填して圧縮空気で発射する玩具銃に装着する給弾装置である（図７参照）。
【００２４】
本発明給弾装置の基本構成は、機関部Ｐと弾倉Ｑとの間に設置されたスライド機構１０と、弾倉Ｑの前方に配置され、弾倉Ｑから排出されたBB弾１をピストンＰ１の前方まで誘導する給弾ガイド２０とで構成されている（図１参照）。
【００２５】
スライド機構１０は、一対のラックを備えたラック・アンド・ピニオンを利用した機構で、固定ラック１１、装弾体１２、ピニオン１３、送りラック１４にて構成している（図３参照）。
【００２６】
固定ラック１１は、機関部Ｐに固定されて機関部Ｐと共に前後移動する部材である。更に、固定ラック１１の先端部に装弾体１２が設けられている（図３参照）。この装弾体１２は、給弾ガイド２０内のBB弾１をピストンＰ１の前方に押し出す部材である。図示例の装弾体１２は固定ラック１１と一体化した板状を成している。また、この装弾体１２は、板状の他、棒状の装弾体１２やスプリング状の装弾体１２など、BB弾１を前方に押し出す構成であれば、他の部材に変更することも可能である。
【００２７】
送りラック１４は、固定ラック１１と相対向する部材で、固定ラック１１との間にピニオン１３が介されており、固定ラック１１と逆方向にスライド移動するように設けている（図５参照）。そして、この送りラック１４の先端部で、弾倉Ｑから排出されるBB弾１を給弾ガイド２０の内部に送り込むものである。
【００２８】
本発明では、装填動作を２回組み合わせることで、長い距離の装填を可能にしたものである。すなわち、第１の装填は、機関部Ｐを後退させたときに、前方へスライド移動する送りラック１４により弾倉Ｑから排出されたBB弾１が給弾ガイド２０内に送り込まれる装填動作になる（図５参照）。続いて第２の装填では、機関部Ｐを前進させると、前方へ移動する固定ラック１１先端の装弾体１２により給弾ガイド２０内のBB弾１がピストンＰ１の前方に誘導される装填動作になるものである（図６、図７参照）。
【００２９】
弾倉Ｑの先方に配置される給弾ガイド２０は、弾倉Ｑから排出されたBB弾１をピストンＰ１の前方に誘導する部材である（図１参照）。図示の給弾ガイド２０は、誘導路２１と、該誘導路のBB弾１を押し出す装弾体１２が通る移動溝２２とが設けられたものである（図９参照）。誘導路２１は、弾倉Ｑから排出されたBB弾１がピストンＰ１の先端に近づくように傾斜している（図７参照）。一方、移動溝２２は、この誘導路２１の上方に形成されている（図１０参照）。そして、この移動溝２２を通過する板状の装弾体１２にて移動溝２２上のBB弾１をピストンＰ１方向に搬送する（図７参照）。
【００３０】
更に、図示例の給弾ガイド２０は、送りラック１４で給弾ガイド２０内に送られたBB弾１を給弾ガイド２０の途中で係止する係止部２３を形成している（図９、図１０参照）。この係止部２３は、BB弾１の側面を押圧することで、BB弾１を所定の位置に仮止めし、その後、送りラック１４がBB弾１から離れてもBB弾１が移動しないようにしている。そして、この仮止め位置から新たに装弾体１２が押圧してピストンＰ１方向にBB弾１を搬送する（図６参照）。このとき、傾斜した誘導路２１に沿ってBB弾１が移動するように、装弾体１２の先端部にも傾斜面を設けている（図７参照）。
【００３１】
本発明で使用する弾倉Ｑは、実銃と同じ位置に配置され、簡単な操作で着脱できるように構成し、実銃の弾倉の形状や操作性を再現するものである。すなわち実銃では、種類により弾倉Ｑの配置位置が異なり、機関部Ｐの側面部や上部に弾倉Ｑを装着するタイプ、下方に収納容積が大きい弾倉Ｑを配置するタイプなどもある（図１１参照）。本発明では、機関部Ｐの側面部や上部でも装着することが可能なスライド機構１０を採用しているので、実銃のタイプによって異なる弾倉Ｑの位置や装着操作に適応させて装着することができる。
【００３２】
図示例の弾倉Ｑは機関部Ｐの真下に装着するタイプである（図３参照）。そして、弾倉Ｑの内部に、BB弾１を一列に並べて収納する収納筒体Ｑ１と、該収納筒体Ｑ１に配置され、BB弾１を押圧して排出口Ｑ３からBB弾１を排出せしめる押圧スプリングＱ２とを備えている（図１参照）。尚、弾倉Ｑの内部構成は、従来から使用されている弾倉の内部構成を利用することも可能である。
【００３３】
本発明給弾装置は、機関部Ｐが前後する玩具銃であれば、どのようなタイプの玩具銃にでも装着可能である。図示例では、ボルトアクション式の玩具銃に装着するように構成したもので、機関部Ｐには、ピストンＰ１の他に、コイルスプリングＰ２とシリンダーＰ３が装着されている（図１参照）。シリンダーＰ３は、ボルトアクション操作用のボルトを模したもので、このシリンダーＰ３の内部にコイルスプリングＰ２とピストンＰ１を収納している。そして、コイルスプリングＰ２の先端部に配置したピストンＰ１からの圧縮空気でBB弾１を発射するように構成したものである。
【００３４】
次に、本発明の操作手順を説明する（図２参照）。この玩具銃では、機関部Ｐがボルトアクション操作用のボルトレバーＰ４に連動する。そして、ボルトレバーＰ４を後退させると機関部Ｐと共に固定ラック１１も後退する（図５参照）。このとき、送りラック１４はピニオン１３を介して前進し、この送りラック１４の先端に接したBB弾１を給弾ガイド２０内の途中まで送り込む。
【００３５】
次に、ボルトレバーＰ４を前進させると、固定ラック１１の先端に形成した装弾体１２により、BB弾１は給弾ガイド２０の内部からピストンＰ１先端方向に搬送される（図６参照）。このとき、装弾体１２と誘導路２１とが組み合うことで、BB弾１はピストンＰ１の先端位置まで上昇する（図７参照）。更に、ボルトレバーＰ４を完全に前進させると、機関部Ｐ先端の圧縮空気排出口により、BB弾１が銃身Ｓの内部に送り込まれる（図８参照）。この際、送りラック１４は次弾を送る位置まで後退している。
【００３６】
シリンダーＰ３内のピストンＰ１が後退した位置に止め置かれると発射準備が整うことになる（図８参照）。この状態で引金Ｒを引くと、コイルスプリングＰ２及びピストンＰ１にて圧縮空気が発生し、この圧縮空気でBB弾１を発射する（図１参照）。発射後、ボルトレバーＰ４の操作を繰り返すことで連続射撃が可能になる。
【００３７】
尚、本発明のスライド機構１０や給弾ガイド２０等は図示例に限定されるものではなく、本発明の要旨を変更しない範囲であれば他の形状に変更することも可能である。
【符号の説明】
【００３８】
Ｐ  機関部
Ｐ１  ピストン
Ｐ２  コイルスプリング
Ｐ３  シリンダー
Ｐ４  ボルトレバー
Ｑ  弾倉
Ｑ１  収納筒体
Ｑ２  押圧スプリング
Ｑ３  排出口
Ｒ  引金
Ｓ  銃身
１  BB弾
１０  スライド機構
１１  固定ラック
１２  装弾体
１３  ピニオン
１４  送りラック
２０  給弾ガイド
２１  誘導路
２２  移動溝
２３  係止部
【図１】
0005951590.tif 000002
【図２】
0005951590.tif 000003
【図３】
0005951590.tif 000004
【図４】
0005951590.tif 000005
【図５】
0005951590.tif 000006
【図６】
0005951590.tif 000007
【図７】
0005951590.tif 000008
【図８】
0005951590.tif 000009
【図９】
0005951590.tif 000010
【図１０】
0005951590.tif 000011
【図１１】
0005951590.tif 000012
【図１２】
0005951590.tif 000013